(57)【要約】【課題】遊技場により提供される音楽は必ずしも遊技者の好みに適合した音楽ではなかった。また、パチンコ台にイヤホン等を設けて、各人がＣＤを持参して、その音楽を聴く場合においても、ＣＤは大きく持ち運びに不便である。また、イヤホン等を用いた場合においては、場内アナウンスが聴きにくいという問題点があった。この発明は、遊技者の好みの音楽を提供することが可能な圧縮音楽再生装置を提供する。【解決手段】遊技台が起動していることを条件として、該遊技台の使用者によってセットされたメモリカード４６に圧縮されて記録された楽音信号データを読み出す読み出し手段４０と、前記圧縮された楽音信号データを復元し、楽音信号を出力する復元手段５０、６０と、イヤホンあるいはヘッドフォンに該楽音信号を供給するイヤホンジャック７５とを有する。【選択図】  図２
2004201731.tif 000002
【特許請求の範囲】
【請求項１】
遊技台が起動していることを条件として、該遊技台の使用者によってセットされたメモリカードに圧縮されて記録された楽音信号データを読み出す読み出し手段と、
前記圧縮された楽音信号データを復元し、楽音信号を出力する復元手段と、イヤホンあるいはヘッドフォンに該楽音信号を供給するイヤホンジャックとを有することを特徴とする圧縮音楽再生装置。
【発明の詳細な説明】
【０００１】
【発明の属する技術分野】
本発明は、パチンコ遊技台に用いて好適な圧縮音楽再生装置に関する。
【０００２】
【従来の技術】
パチンコ遊技場では、遊技者の遊技意欲を掻き立てる目的で、大型スピーカを用いて遊技場が選択した音楽および場内アナウンスが提供されている。
また、特開平８−１５０２５５公報にはパチンコ遊技台にスピーカを内蔵させ、あるいはイヤホンを設けることにより好みの音量で聴くことが出来る技術が開示され、さらにＣＤプレイヤー、カセットデッキ等を接続出来る旨記載されている。さらに、登録実用新案  第３０１３３０２号公報に玉の転道部にセンサを設けパチンコ遊技台の稼働状況を判別し、稼働時のみヘッドホンから音楽が聴こえるようにする技術が開示されている。
一方、楽音信号データを軽量コンパクトなメモリカードに記憶する場合においては、圧縮して記憶して多数の曲データを記憶することが普及している。
【０００３】
【発明が解決しようとする課題】
しかしながら、大型スピーカを用いて遊技場により提供される音楽は必ずしも遊技者の好みに適合した音楽ではなかった。また、パチンコ台にイヤホン・ヘッドホンを設けて、各人がＣＤ（コンパクトディスク）を持参して、その音楽を聴く場合においても、ＣＤは外形が大きく持ち運びに不便であった。
この発明は、上述した事情に鑑みてなされたものであり、遊技者の好みの音楽を提供することが可能な圧縮音楽再生装置を提供することを目的とする。
【０００４】
【課題を解決するための手段】
上記課題を解決するため本発明にあっては、下記の構成を具備することを特徴とする。なお、括弧内は例示である。
請求項１記載の圧縮音楽再生装置にあっては、遊技台が起動していることを条件として、該遊技台の使用者によってセットされたメモリカードに圧縮されて記録された楽音信号データを読み出す読み出し手段（メモリリーダ）と、前記圧縮された楽音信号データを復元し、楽音信号を出力する復元手段（デコーダー、Ｄ／Ａ変換器）と、イヤホンあるいはヘッドフォンに該楽音信号を供給するイヤホンジャックとを有することを特徴とする。
【０００５】
【発明の実施の形態】
1.  予約機能付電子機器の構成
次に、本発明の一実施形態である圧縮音楽再生装置の構成を図２を参照し説明する。
１０はパネルＩ／Ｏ部であり、曲順表示器１２、ボリューム表示器１４、選曲ボタン１６、１８、ボリュームボタン２２、２４（図１参照）から構成される。さらに、パチンコ遊技台からの音声信号、場内アナウンス信号、制御信号もパネルＩ／Ｏ部１０を介して入力される。なお、曲順表示器１２は、「０」から「９９」まで表示され、ボリューム表示器１４は、「０」から「９」まで表示可能である。３２はＣＰＵであり、各部を制御する。３４はＲＯＭであり、ＣＰＵ３２を制御するプログラムが記録されている。３６はＲＡＭであり、ＣＰＵ３２のワークメモリとして用いられる。４６はメモリカードであり、「ＭＰ３」方式、またはその他の方式により楽音信号データが圧縮されて記録されている。４０はメモリリーダであり、メモリカード４６が挿入され、記録されているデータを読み出す。５０はデコーダーであり、メモリリーダ４０に接続され、圧縮された楽音信号データを復元する。６０はＤ／Ａ変換器であり、デコーダー５０に接続され、デジタル信号をアナログ信号に変換する。７０は増幅器であり、Ｄ／Ａ変換器６０に接続され、アナログ信号を増幅する。７５はイヤホンジャックであり、イヤホン、ヘッドフォンが接続され、増幅器７０によって出力された音声信号を放音する。９０はバスラインであり各部を接続する。なお、１００は圧縮音楽再生装置であり、パチンコ遊技台２００と併用され（図１参照）、パチンコ台枠に組み込まれる。
【０００６】
２．  本実施形態の動作
本実施形態の圧縮音楽再生装置１００は、パチンコ遊技台２００の稼働と共にＩ／Ｏ部１０を介した制御信号により起動される。このとき、初期設定では曲順表示器１２は「０」が表示されている。ここで、パチンコ遊技者の好みの音楽を聴きたいときには、メモリカード挿入口４２（図１参照）に個人用のメモリカード４６を挿入する。このメモリカードには、パチンコ遊技者が好みの楽音信号データが圧縮されて複数曲記録されている。メモリカードの挿入により、曲順表示器には初期設定「１」が表示され、選曲ボタン１６、１８によってアップダウンすることによって希望の音楽に設定される。
【０００７】
一方、ボリューム表示器には、初期設定では「０」が表示され、イヤホンジャック７５からは出力されない。メモリカード４６の挿入により、適切な音量と推定される値（たとえば「５」）が表示され、適切な音量にするために、ボリュームボタン２２、２４によりアップダウンさせることが出来る。
【０００８】
そして、メモリリーダ４０によりメモリカード上の楽音信号データの種類が読み出され、デコーダー５０により圧縮された楽音信号データが復元される。さらに、Ｄ／Ａ変換器６０により、デジタル信号がアナログ信号に変換される。増幅器７０により、該アナログ信号が増幅され、イヤホンジャック７５を介して、イヤホンあるいはヘッドフォンにより放音される。終了時には、メモリー取り出しボタン４４を押下し、メモリカード４６を取り出せば、イヤホンあるいはヘッドフォンからの放音が終了する。
【０００９】
また、パチンコ遊技台２００から効果音・音声信号が発せられあるいは場内アナウンスが発せられる場合もある。この場合においては、該音声信号等がパネルＩ／Ｏ部を介して入力され、デコーダー５０により変換され、メモリカード４６の楽音信号と重畳され、音声として放音される。このとき、音楽データの再生を停止してもよいし、楽音再生の音量を強制的に低下させてもよい。このようにすることにより、パチンコ遊技台の効果音、場内アナウンス等も同時に聴くことが可能である。さらに、場内アナウンスが過度の音量で流され、パチンコ遊技者に騒音として不快感を与えることがない。
【００１０】
３．変形例
本発明は上述した実施形態に限定されるものではなく、例えば以下のように種々の変形が可能である。
（１）上記実施形態は、圧縮音楽再生装置１００の起動にパチンコ遊技台２００からの制御信号を用いたが、近接センサによってパチンコ遊技台２００への人間の近接を検出してもよい。また、登録実用新案  第３０１３３０２号公報のように玉の転道部にセンサを設けパチンコ遊技台の稼働状況を判別してもよい。
（２）上記実施形態は、パチンコ遊技台２００について用いたが、スロットマシンその他の遊技台に用いることが可能である。
【００１１】
【発明の効果】
以上説明したように、メモリカードに圧縮されて記録された楽音信号データの読み出し、イヤホンジャックを介して楽音信号が供給されるので、遊技者の好みに応じた音楽を多数曲聴くことが出来る。
【図面の簡単な説明】
【図１】本発明の一実施形態である圧縮音楽再生装置の使用方法を示す図である。
【図２】本発明の一実施形態である圧縮音楽再生装置の構成図である。
【符号の説明】
１０…パネルＩ／Ｏ部、１２…曲順表示器、１４…ボリューム表示器、１６，１８…選曲ボタン、２２，２４…ボリュームボタン、３２…ＣＰＵ、３４…ＲＯＭ、３６…ＲＡＭ、４０…メモリリーダ（読み出し手段）、４２…メモリカード挿入口、４４…メモリー取り出しボタン、５０…デコーダー（復元手段）、６０…Ｄ／Ａ変換器（復元手段）、７０…増幅器（ＡＭＰ）、７５…イヤホンジャック、１００…圧縮音楽再生装置、２００…パチンコ遊技台
【図１】
2004201731.tif 000003
【図２】
2004201731.tif 000004